(57)【要約】【課題】戸当り部材が１つで済み、床など引戸周りの掃除の邪魔にならず、しかも、引戸を全開位置に停止させたとき、常に引戸に引き残し部分を生じさせずに開口部全体を開放するアウトセット引戸用戸当りを提供する。【解決手段】戸当りＴは、アウトセット引戸Ｄの戸先側の木口面ｄに固着するベース板部２１と、引戸を後付けしたときにベース板部から開口部Ｓへ向け突出するように鍔状に延びる戸当り部２２とを一体に形成すると共に、その戸当り部の両端とそれぞれ戸枠Ｆの上枠材１１と床面Ｂとの間に切欠き凹部２３を形成した形状の戸当り本体２０と、戸当り本体に凹凸の嵌め合いで取り付けて、ベース板部に被せるカバー部３１と、戸当り部および切欠き凹部に被せるキャップ部３２とを弾性材料で一体成形し、そのキャップ部を、開口部の高さに合わせて切断手段で切り取って長さ調整可能にした戸当りカバー３０とで構成する。【選択図】          図１
0003127545.tif 000002
【実用新案登録請求の範囲】
【請求項１】
既設の矩形戸枠の外側から開口部に重ねて開閉方向へスライド自在に後付けするアウトセット引戸にあって、その引戸の開閉時に、前記戸枠の左右縦枠材に当てて前記引戸を停止させるアウトセット引戸用戸当りであって、
前記引戸の戸先側の木口面に固着するベース板部と、前記引戸を後付けしたときに前記ベース板部から前記開口部へ向け突出するように鍔状に延びる戸当り部とを一体に形成すると共に、その戸当り部の両端とそれぞれ前記戸枠の上枠材と床面との間に切欠き凹部を形成した形状の戸当り本体と、
該戸当り本体に凹凸の嵌め合いで取り付けて、前記ベース板部に被せるカバー部と、前記戸当り部および前記切欠き凹部に被せるキャップ部とを弾性材料で一体成形し、そのキャップ部を、前記開口部の高さに合わせて切断手段で切り取って長さ調整可能としてなる戸当りカバーと、
からなること特徴とする、アウトセット引戸用戸当り。
【請求項２】
前記戸当り本体には、前記ベース板部の両端に、前記戸当りカバーを抜け止めするストッパ部材を装着してなることを特徴とする、請求項１に記載のアウトセット引戸用戸当り。
【考案の詳細な説明】
【技術分野】
【０００１】
本考案は、既設の戸枠の外側から開口部に重ねて開閉方向へスライド自在に後付けする引戸に適用するのに好適なアウトセット引戸用戸当りに関する。
【背景技術】
【０００２】
最近、建物内を介護に適した構造にリフォームする場合には、既存の各種扉の中で、回動開閉式の開き戸は取り外し、要介護者に優しいスライド開閉式の引戸に付け替える改造を行うことが多い。従来、このように開き戸を引戸に付け替える場合、たとえば図１２に示すように、引戸１は、所謂アウトセット方式により、既設の矩形戸枠２の外側（図中上側）に重ねて、開口部３と壁４に沿って図中左右の開閉方向へスライド自在に後付けしている。そのため、そのようなアウトセット引戸１が往復動する軌道上には、戸先側と戸尻側に戸当り５・６を床付けし又は壁付けし、図１２（Ａ）に示すように開口部３を全閉した閉位置と同図（Ｂ）に示す全開位置において、それぞれ引戸１を戸当り５・６に当てて停止し、引戸１の開閉ストロークを所定長さに制御している。
【考案の開示】
【考案が解決しようとする課題】
【０００３】
ところが、従来、戸当りは床付けすると、その上向きの出っ張りが邪魔になり、引戸周りでの床掃除が面倒であるという課題があった。また、戸当りを床付けしようと又は壁付けしようと、アウトセット方式にて引戸を取り付ける場合に、戸当り５・６は引戸１が往復動する軌道上において、戸先側と戸尻側の２箇所に付設する必要があり、それだけ戸当りの部品点数が多くなるという課題もあった。
【０００４】
更に、従来、引戸周りに戸尻側戸当り６の設置位置に制限があると、引戸１を当てて全開位置に停止させたとき、引戸１の戸先側に引き残し部分ａが生じ、その引き残し部分ａで開口部３が一部塞がれ、その分だけ開口部の有効開口幅が狭くなってしまう。従って、従来では、開口部３の開口幅が狭いために、例えば要介護者が車椅子を使って開口部３を通過することができない、などの弊害を発生するという課題があった。
【０００５】
そこで、本考案の目的は、戸当り部材が１つで済み、床など引戸周りの掃除の邪魔にならず、しかも、引戸を全開位置に停止させたとき、常に引戸に引き残し部分が発生することなく開口部全体を開放するアウトセット引戸用戸当りを提供することにある。
【課題を解決するための手段】
【０００６】
上述した課題を解決すべく、請求項１に記載の考案は、たとえば以下に示す図示実施の形態のとおり、既設の矩形戸枠Ｆの外側から開口部Ｓに重ねて開閉方向へスライド自在に後付けするアウトセット引戸Ｄにあって、その引戸Ｄの開閉時に、前記戸枠Ｆの左右縦枠材１２・１３に当てて前記引戸Ｄを停止させるアウトセット引戸用戸当りＴであって、前記引戸Ｄの戸先側の木口面ｄに固着するベース板部２１と、前記引戸Ｄを後付けしたときに前記ベース板部２１から前記開口部Ｓへ向け突出するように鍔状に延びる戸当り部２２とを一体に形成すると共に、その戸当り部２２の両端とそれぞれ前記戸枠Ｆの上枠材１１と床面Ｂとの間に切欠き凹部２３を形成した形状の戸当り本体２０と、該戸当り本体２０に凹凸の嵌め合いで取り付けて、前記ベース板部２１に被せるカバー部３１と、前記戸当り部２２および前記切欠き凹部２３に被せるキャップ部３２とを弾性材料で一体成形し、そのキャップ部３２を、前記開口部Ｓの高さに合わせて市販カッター５０のような切断手段で切り取って長さ調整可能としてなる戸当りカバー３０と、からなること特徴とする。
【０００７】
請求項２に記載の考案は、請求項１に記載のアウトセット引戸用戸当りＴにおいて、たとえば以下に示す図示実施の形態のとおり、前記戸当り本体２０には、前記ベース板部２１の両端に、前記戸当りカバー３０を抜け止めするストッパ部材４０を装着してなることを特徴とする。
【考案の効果】
【０００８】
請求項１に記載の考案によれば、戸当りは、アウトセット引戸の戸先側に取り付け、戸枠の左右縦枠材に当てて引戸の開閉を停止する構成であるため、従来の如く戸先側と戸尻側に２つも設置する必要がなく、常に戸当り部材は１つで済み、それだけ部品点数を少なくし、コストも低減させることができる。また、床などの引戸周りの掃除の邪魔になることもないという利点がある。
【０００９】
しかも、請求項１に記載の考案に係る戸当りは、アウトセット引戸の戸先側で木口面に取り付け、戸当り本体の鍔状戸当り部を、戸当りカバーのキャップ部を介して戸枠の左右縦枠材に弾性的に当てて引戸の開閉を止める構成であるため、引戸を全開位置に停止させたとき、引戸には戸先側に引き残し部分を発生させず、常に開口部全体を開放することができ、その結果、開口幅が狭いために要介護者が車椅子を使って開口部を通過できない、などの弊害の発生を解消することができる。
【００１０】
更に、請求項１に記載の考案に係る戸当りは、ベースの戸当り本体を、その戸当り部の両端とそれぞれ戸枠の上枠材と床面との間に切欠き凹部を形成した形状とし、その切欠き凹部の長さ分だけ、開口部に向け突出させる戸当り部の長さが、一般的ないずれの扉開口部の高さよりも短くなるように構成するため、開口高さの異なる開口部に重ねて後付けするいずれのアウトセット引戸に対しても、いちいち取り替えることなく、常に共通の戸当り本体を戸先側木口面に装着して使用することができる。また、戸当りカバーは、戸当り本体のベース板部に被せるカバー部と、戸当り部および切欠き凹部に被せるキャップ部とを弾性材料で一体成形する一方、キャップ部を、開口部の高さに合わせて切断手段で切り取って長さ調整可能な構成にするため、たとえ開口高さの異なる開口部に重ねて後付けするいずれのアウトセット引戸に対しても、各々の開口部の高さに合った長さにキャップ部を施工現場で簡単に加工することができ、その結果、開口部の高さの違いに関係なく、常に共通の戸当りカバーを戸当り本体に被せて戸当りの化粧用クッション材として使用することができる。
【００１１】
加えて、請求項２に記載の考案に係る戸当りは、戸当り本体に対し、戸当りカバーを上下のストッパ部材で抜け止めしてズレ動かすことなく、常に戸当り本体をシールすることができる。
【考案を実施するための最良の形態】
【００１２】
以下、図面を参照しつつ、本考案の実施の形態について説明する。
【００１３】
図１は、本考案の一例であるアウトセット引戸用戸当りを示す分解斜視図、図２は、その戸当りで引戸を全開位置に停止させた状態において示す引戸構造体の斜視図、図３は引戸の構造を示す斜視図である。引戸構造体は、引戸Ｄと、いずれも既設の壁体Ｗおよび戸枠Ｆを備える。
【００１４】
引戸構造体において、壁体Ｗは、少なくとも開口部Ｓの真上に上壁１０を備える一方、戸尻側に戸袋壁に相当する壁部分を備えた構造になっている。戸枠Ｆは、例えば開き戸用の既設の枠体で、天井側の上枠材１１と左右一対の縦枠材１２・１３とで矩形に開口部Ｓを枠付けしている。引戸Ｄは、例えば木製の矩形枠体内に空洞を有し、大小開口面積の異なる一般の開口部に対し使用できるように、高さ2100ｍｍの比較的大きく縦長なパネルで、既設戸枠Ｆの外側から開口部Ｓに重ねて吊り込み、図中左右の開閉方向へスライド自在に後付けする、アウトセット式の引戸である。
【００１５】
即ち、引戸構造体では、既設の開き戸を戸枠Ｆから取り外してから、壁体Ｗに第１ガイドレール１４を戸枠Ｆの上枠材１１に沿って上壁１０に取り付ける。同じ上壁１０には、第１ガイドレール１４の戸尻側の上方に第１戸車（図示省略）を取り付ける。一方、引戸Ｄ側には、開口部Ｓ側の内側板面の上端縁に、第２ガイドレール（図示省略）を幅方向に沿って取り付け、第２ガイドレールの戸先寄りの下側に、第２戸車（図示省略）を取り付ける。それから、引戸Ｄを持ち上げ、戸枠Ｆの外側（図中手前側）から開口部Ｓに重ねて壁体Ｗに懸架する。そのとき、引戸Ｄは、第２戸車を、壁体Ｗ側の第１ガイドレール１４に係合する一方、第２ガイドレールに第１戸車を係合すると共に、下端縁に組み入れた第３戸車（図示省略）を床面Ｂ上に固着した第３ガイドレール１５に係合させてスライド往復動可能に吊り込む。
【００１６】
そこで、上述したアウトセット引戸Ｄには、両板面の戸先寄りにバーハンドル１９を縦向けに付設する一方、戸先側の木口面ｄに本考案の戸当りＴを付設してなる。
【００１７】
戸当りＴは、図１に示すように、それぞれ長尺な戸当り本体２０および戸当りカバー３０と、戸当りカバー３０の抜け止め用ストッパ部材４０とからなる。戸当り本体２０は、例えばアルミニウムの押し出し成形により、ベース板部２１と、ベース板部２１の片側側縁から鍔状に張り出す戸当り部２２とを一体に形成し、その戸当り部２２の長さ方向両端側に切欠き凹部２３を有した板形状に加工してなる。ベース板部２１は、幅と長さサイズを引戸Ｄの木口面ｄに合わせて細長く形成し、木口面ｄに当てる内側板面には、その片側側縁に沿って係止リブ２４を立設する一方、外側板面２１ａには、図４でも示すように、互いに離れる外向きに断面Ｌ状に突出する一対の掛止凸部２５・２６を、長さ方向にレール状に設けた形状になっている。そして、外側板面２１ａ上の掛止凸部２５・２６間に、レール溝２７が長さ方向に形成された形状になっている。一方、戸当り部２２は、図１に示すように、開口部Ｓを含む一般的な扉開口部の高さを考慮し、ベース板部２１から張り出した図中上下方向の長さが、いずれの開口部高さより短くなるように、長さ方向両端側にそれぞれ切欠き凹部２３を形成してなる。
【００１８】
戸当りカバー３０は、樹脂材料を用いて戸当り本体２０に対応する形状に成形し、ベース板部２１に被せるカバー部３１と、戸当り部２２と切欠き凹部２３に被せるキャップ部３２を一体に形成してなる。カバー部３１は、幅と長さサイズを戸当り本体２０に合わせて細長く形成すると共に、図４でも示すように扁平な断面略Ｃ溝状に形成し、凹溝３３内に、戸当り本体２０の掛止凸部２５・２６に対応する係合凹部３３ａ・３３ｂを設けた形状になっている。キャップ部３２は、カバー部３１の片側側縁から鍔状に延び、当初はカバー部３１と同じ長さの扁平に形成する一方、そのカバー部３１側から幅方向に向けてさや溝３５が設けられている。さや溝３５は、戸当り本体２０側の戸当り部２２の外形状に合わせ、その戸当り部２２を差込み可能な溝幅と深さに穿設している。そして、キャップ部３２は、樹脂製であるため、必要に応じ、図示開口部Ｓを含む一般的な扉開口部の開口高さに合わせて、後述する市販のカッター５０のような切断手段で端部を切り取って長さを調整可能になっている。なお、戸当りカバー３０は、カバー部３１とキャップ部３２とを一体成形可能な弾性を有する部材であればよく、樹脂製に限らず、例えばゴム等の適宜クッション材を用いることもできる
【００１９】
図示例のストッパ部材４０は、図５に示すように、受け板部４０ａ上に、それと直交する向きに差込み板部４０ｂを立設して全体にＴ形に組み立ててなる。受け板部４０ａは、戸当りカバー３０におけるカバー部３１の厚さ方向の断面形状に合わせて、それを受け止め可能な大きさの板材で形成する。差込み板部４０ｂは、戸当り本体２０におけるベース板部２１のレール溝２７に対応させて、それに差込み可能な幅サイズの板材で形成している。
【００２０】
そこで、以上のような部品構成の戸当りＴは、アウトセット引戸Ｄの戸先側木口面ｄに付設する。その場合は、戸当り本体２０を戸当り部２２が開口部Ｓへ突出する向きにし、ベース板部２１を戸先側木口面ｄに当てがい、そのベース板部２１の両端にそれぞれストッパ部材４０を装着する。ストッパ部材４０は、ベース板部２１の外側板面２１ａにおいてレール溝２７に差込み板部４０ｂを差し込んで、それぞれベース板部２１の両端に嵌め付ける。そして、取付ねじ４５でベース板部２１をねじ止めして戸当り本体２０を戸先側木口面ｄに固着する。
【００２１】
他方、戸当りカバー３０は、図６に示すように、キャップ部３２の端部３２ａを切断手段の市販カッター５０で切り取って、開口部Ｓの高さに合わせて予め長さ調整する。それから、戸当りカバー３０を、引戸Ｄの木口面ｄに固着した戸当り本体２０に被せる。そのときは、図７に示すように、戸当りカバー３０の係合凹部３３ａに戸当り本体２０の掛止凸部２５を嵌め込んでから、図８に示すように、係合凹部３３ｂに掛止凸部２６を嵌め込み、キャップ部３２の弾性でさや溝３５を押し拡げながら、さや溝３５内に、戸当り本体２０の戸当り部２２を挟み付けるように差し込んで、図９に示すように戸当りカバー３０を戸当り本体２０全体に覆い被せる。すると、図２でも示すように、戸当りＴは、戸当りカバー３０を上下のストッパ部材４０による抜け止め状態で、アウトセット引戸Ｄの戸先側木口面ｄに組み付けられる。
【００２２】
さて、上述の引戸構造体では、図１０に示すように、バーハンドル１９を持ち、引戸Ｄをスライドさせて開口部Ｓを閉じるとき、戸当りＴは、戸当り部２２がキャップ部３２を介して戸枠Ｆの戸先側縦枠材１２に弾性的に当たって引戸Ｄを停止し、開口部Ｓが全閉する閉位置に位置決める。一方、引戸Ｄをスライドさせて開口部Ｓを開くときは、図１１に示すように、戸当りＴは、戸当り部２２がキャップ部３２を介して戸枠Ｆの戸尻側縦枠材１３に弾性的に当たって引戸Ｄを停止し、開口部Ｓが全開する開位置に位置決めする。この引戸Ｄの開時は、引戸Ｄが戸先側に開口部Ｓを塞ぐ引き残し部分を発生させることがなく、開口部全体が開放される。
【図面の簡単な説明】
【００２３】
【図１】本考案の一例であるアウトセット引戸用戸当りを示す分解斜視図である。
【図２】戸当りで引戸を全開位置に停止させた状態で示す引戸構造体の斜視図である。
【図３】アウトセット引戸の構造を示す斜視図である。
【図４】戸当りの戸当り本体と戸当りカバーの形状を一部破断して示す斜視図である。
【図５】戸当り本体の引戸の木口面への取付けを説明する分解斜視図である。
【図６】戸当りカバーのキャップ部の端部を切り取って長さ調整する段階を説明する斜視図である。
【図７】戸当りカバーのカバー部を戸当り本体のベース板部に被せる段階を示す縦断面図である。
【図８】戸当りカバーのキャップ部を戸当り本体の戸当り部に被せる段階を示す縦断面図である。
【図９】戸当りカバーを戸当り本体に被せて装着した状態を示す縦断面図である。
【図１０】戸当りで引戸が全閉位置に停止した状態を示す平面図である。
【図１１】戸当りで引戸が全開位置に停止した状態を示す平面図である。
【図１２】（Ａ）従来の戸当りで引戸が全閉位置に停止した状態を示す概略平面図、（Ｂ）戸当りで引戸が全開位置に停止した状態を示す概略平面図である。
【符号の説明】
【００２４】
Ｄ              アウトセット引戸
Ｆ              戸枠
Ｔ              戸当り
Ｂ              床面
１１            上枠材
１２・１３      左右縦枠材
２０            戸当り本体
２１            ベース板部
２２            戸当り部
２３            切欠き凹部
３０            戸当りカバー
３１            カバー部
３２            キャップ部
４０            ストッパ部材
５０            カッター（切断手段）
【図１】
0003127545.tif 000003
【図２】
0003127545.tif 000004
【図３】
0003127545.tif 000005
【図４】
0003127545.tif 000006
【図５】
0003127545.tif 000007
【図６】
0003127545.tif 000008
【図７】
0003127545.tif 000009
【図８】
0003127545.tif 000010
【図９】
0003127545.tif 000011
【図１０】
0003127545.tif 000012
【図１１】
0003127545.tif 000013
【図１２】
0003127545.tif 000014